(57)【要約】【課題】単純な構成でジャム除去時における圧接解除と、長期使用しない場合における圧接解除の両方に対応する。【解決手段】加熱フレーム２３０に支持される加熱ローラ２１０と、回動可能な加圧フレーム２４０に支持される加圧ローラ２２０とを備え、加圧フレーム２４０を移動して加圧ローラ２２０と前記加熱ローラ２１０との圧接を解除する圧接解除装置を備える定着装置において、前記圧接解除装置は、駆動部材２５０を駆動して加圧フレーム２４０を移動し、加圧ローラと前記加熱ローラとの間隔を予め定めた値とする第１の圧接解除状態と、駆動部材を前記第１の圧接解除状態と異なる経路で駆動して加圧フレーム２４０を移動させて、加圧ローラ２２０と加熱ローラ２１０との間の距離を予め定めた値とする第２の圧接解除状態とする。【選択図】図２
2009151133.tif 000002
【特許請求の範囲】
【請求項１】
トナー像を担持した転写材を加熱する加熱ローラと、前記加熱ローラに前記転写材を圧接する加圧ローラとを備え、前記加熱ローラは加熱ローラ支持部材に保持され、前記加圧ローラはその最下部において回動可能に軸支された加圧ローラ支持部材に保持され、加熱ローラと加圧ローラとの間隔を可変に配置されると共に、前記加圧ローラ支持部材を移動して前記加圧ローラと前記加熱ローラとの圧接を解除する圧接解除装置を備える定着装置において、
前記圧接解除装置は、
前記加圧ローラ支持部材を移動し、前記加圧ローラと前記加熱ローラとの間隔を予め定めた第１の値にする第１の圧接解除状態と、
前記駆動部材を前記第１圧接解錠状態と異なる経路で駆動して前記加圧ローラ支持部材を移動させて、前記加圧ローラと前記加熱ローラとの間の距離を予め定めた第２の圧接解除状態になることを特徴とする定着装置。
【請求項２】
前記第１の圧接解除状態では、その先端を前記加熱ローラ支持部材に接触させたまま前記駆動部材を回動させて、前記加圧ローラ支持部材を回動させ前記加熱ローラと前記加圧ローラとの間の寸法を変更し、
前記第２の圧接解除状態では、前記駆動部材と前記加熱ローラ支持部材との間にスペーサ部材を挿入して、前記加圧ローラ支持部材を平行移動させ前記加熱ローラと前記加圧ローラとの間の寸法を変更することを特徴とする請求項１記載の定着装置。
【請求項３】
トナー像を担持した転写材を加熱する加熱ローラと、前記加熱ローラに前記転写材を圧接する加圧ローラとを備え、前記加熱ローラは加熱ローラ支持部材に保持され、前記加圧ローラはその最下部において回動可能に軸支された加圧ローラ支持部材に保持され、加熱ローラと加圧ローラとの間隔を可変に配置されると共に、前記加圧ローラ支持部材を移動して前記加圧ローラと前記加熱ローラとの圧接を解除する圧接解除装置を備える定着装置において、
前記加熱ローラは加熱ローラ支持部材に保持され、前記加圧ローラはその最下部において回動可能に軸支された加圧ローラ支持部材に保持され、加熱ローラと加圧ローラとの間隔を可変に配置されると共に、
前記圧接解除装置は、前記加圧ローラの回転軸と異なる上方位置で揺動可能に支持され、前記加熱ローラを支持する加熱ローラ支持部材に接触して前記加圧ローラと前記加熱ローラとの間の距離を変更する駆動部材を備え、
前記駆動部材は、
所定の角度だけ回転され、前記加圧ローラ支持部材を移動して前記加圧ローラと前記加熱ローラとの間隔を予め定めた第１の値とする第１の圧接解除状態と、
前記第１の圧接解除状態より多くの角度だけ回転され、前記加圧ローラ支持部材と移動して前記加圧ローラと前記加熱ローラとの間の間隔を前記第１の値より大きな第２の値とする第２の圧接解除状態に駆動されることを特徴とする定着装置。
【請求項４】
前記駆動部材には操作部が配置され、前記操作部は駆動部材を第２の位置するとき定着装置本体から飛び出した位置に配置されることを特徴とする請求項３記載の定着装置。
【請求項５】
前記駆動部材は常時第２の位置に移動する方向に付勢されている共に、
前記操作部は常時は外装カバー部材に係止されて前記駆動部材は第１の位置に保持され、
前記操作部は前記外装カバー部材が取り外されたとき前記駆動部材が第２の位置に移動することを特徴とする加圧解除位置への動作は、装置外装カバーと連動することを特徴とする請求項３又は４記載の定着装置。
【請求項６】
前記駆動部材の配置位置を検出する検出装置を備えることを特徴とする請求項３乃至５のいずれか記載の定着装置。
【請求項７】
前記検出装置は、紙搬送ジャム状態を検知することを特徴とする請求項６記載の定着装置。
【請求項８】
前記第１の値を得るための駆動部材の移動量は、前記第２の値を得るための駆動部材の移動量より大きいことを特徴とする請求項１乃至７のいずれか記載の定着装置。
【請求項９】
請求項１乃至９のいずれか記載の定着装置を備えることを特徴とする画像形成装置。
【発明の詳細な説明】
【技術分野】
【０００１】
本発明は、トナー像を担持した転写材を加熱する加熱ローラと、前記加熱ローラに前記転写材を圧接する加圧ローラとを備え、前記加熱ローラは加熱ローラ支持部材に保持され、前記加圧ローラはその最下部において回動可能に軸支された加圧ローラ支持部材に保持され、加熱ローラと加圧ローラとの間隔を可変に配置されると共に、前記加圧ローラ支持部材を移動して前記加圧ローラと前記加熱ローラとの圧接を解除する圧接解除装置を備える定着装置及びこれを備える画像形成装置に関する。
【背景技術】
【０００２】
従来の定着装置構成においては、トナーを転写紙に定着させるに十分な熱を転写紙に与えるため、各ローラはそれぞれ弾性層を持っており、その変形によってニップを形成し、必要な加熱時間を確保している。使用トナー、転写紙搬送線速等によっては、より大きな変形量を必要とする場合がある。
【０００３】
また、本体装置動作時各ローラは弾性層が変形した状態に保持されているため、転写紙が、加熱ローラと加圧ローラ間を通過するときに発生するジャムに対しては、その除去のため加圧ローラの加熱ローラに対しての加圧解除装置を設けることで対応している。
【０００４】
上記弾性層の変形について、例えば装置本体を長期使用しない場合には、変形した各ローラの外径形状が復帰しないことがあり、その結果、定着部駆動時の異常音発生、また異常画像の発生となる。
【０００５】
特許文献１には、トナー像を担持する転写材を加熱するための加熱手段に前記転写材を圧接する加圧手段の加圧を解除する解除装置を備えた画像形成装置の定着装置において、紙つまり時に紙を除去する際に前記加圧手段の加圧を解除する前記解除装置を構成する一端を支点とし、つまった紙を除去した後前記加圧手段の加圧復帰後加圧解除前の位置に復帰させる復帰手段を構成する揺動部材の一部に突出された突出部を備えた揺動部材が、揺動するカバー部材の一端に係合するレバー部材によって構成され、異なった位置において前記加圧手段側に突出した２つのカムを備え、一方のカムが前記解除装置を構成し、他方のカムが復帰手段を構成するものが記載されている。
【０００６】
特許文献２には、加圧ローラを定着ローラに押し付けて圧接させる付勢機構を備え、プリンタに対する背部梱包体には、定着部圧接解除装置を備え、定着部圧接解除装置は、プリンタの梱包の過程で、解除レバーがプリンタに接触してスライド部材が付勢機構の第２付勢用レバーとの係合方向に移動し、第２付勢用レバーを介して第１付勢用レバーを引き下げ、定着ローラと加圧ローラとの圧接を解除させる一方、開梱の過程で、第２付勢用レバーとの係合が解除され、定着ローラと加圧ローラとを圧接させるものが記載されている。
【０００７】
特許文献３には、加熱部材と加圧部材との間に画像を担持した記録媒体を送入して画像を記録媒体上に定着する定着装置であって、加熱部材と加圧部材との圧接とその解除とを行う接離調整手段を備え、接離調整手段は、画像形成装置本体に画像形成に係わるジョブ信号が入力されていないときに、加熱部材と加圧部材との圧接を解除するものが記載されている。
【特許文献１】２００３−１８６３４０公報
【特許文献２】２００７−１６３９１４公報
【特許文献３】２００５−２０１９１７公報
【発明の開示】
【発明が解決しようとする課題】
【０００８】
従来上記不具合について、上記ジャム除去に対しての加圧解除構成とは別に、装置本体を長期使用しない場合に各ローラの外径形状の変形を防ぐための加圧解除構成別途設けることで対応している。
【０００９】
しかしながら、このように装置本体の不使用時に使用する加圧解除機構を別途に設けると、定着装置の構成が複雑となり、コストが嵩むという問題がある。
【００１０】
そこで本発明は、単純な構成でジャム除去時における加圧解除と、長期使用しない場合における加圧解除の両者に対応することができる定着装置及び画像形成装置を提供することを目的とする。
【課題を解決するための手段】
【００１１】
請求項１の発明は、トナー像を担持した転写材を加熱する加熱ローラと、前記加熱ローラに前記転写材を圧接する加圧ローラとを備え、前記加熱ローラは加熱ローラ支持部材に保持され、前記加圧ローラはその最下部において回動可能に軸支された加圧ローラ支持部材に保持され、加熱ローラと加圧ローラとの間隔を可変に配置されると共に、前記加圧ローラ支持部材を移動して前記加圧ローラと前記加熱ローラとの圧接を解除する圧接解除装置を備える定着装置において、前記圧接解除装置は、前記加圧ローラ支持部材を移動し、前記加圧ローラと前記加熱ローラとの間隔を予め定めた第１の値にする第１の圧接解除状態と、前記駆動部材を前記第１圧接解錠状態と異なる経路で駆動して前記加圧ローラ支持部材を移動させて、前記加圧ローラと前記加熱ローラとの間の距離を予め定めた第２の圧接解除状態になることを特徴とする定着装置。
【００１２】
請求項２の発明は、請求項１記載の定着装置において、前記第１の圧接解除状態では、その先端を前記加熱ローラ支持部材に接触させたまま前記駆動部材を回動させて、前記加圧ローラ支持部材を回動させ前記加熱ローラと前記加圧ローラとの間の寸法を変更し、前記第２の圧接解除状態では、前記駆動部材と前記加熱ローラ支持部材との間にスペーサ部材を挿入して、前記加圧ローラ支持部材を平行移動させ前記加熱ローラと前記加圧ローラとの間の寸法を変更することを特徴とする。
【００１３】
請求項３の発明は、トナー像を担持した転写材を加熱する加熱ローラと、前記加熱ローラに前記転写材を圧接する加圧ローラとを備え、前記加熱ローラは加熱ローラ支持部材に保持され、前記加圧ローラはその最下部において回動可能に軸支された加圧ローラ支持部材に保持され、加熱ローラと加圧ローラとの間隔を可変に配置されると共に、前記加圧ローラ支持部材を移動して前記加圧ローラと前記加熱ローラとの圧接を解除する圧接解除装置を備える定着装置において、前記加熱ローラは加熱ローラ支持部材に保持され、前記加圧ローラはその最下部において回動可能に軸支された加圧ローラ支持部材に保持され、加熱ローラと加圧ローラとの間隔を可変に配置されると共に、前記圧接解除装置は、前記加圧ローラの回転軸と異なる上方位置で揺動可能に支持され、前記加熱ローラを支持する加熱ローラ支持部材に接触して前記加圧ローラと前記加熱ローラとの間の距離を変更する駆動部材を備え、前記駆動部材は、所定の角度だけ回転され、前記加圧ローラ支持部材を移動して前記加圧ローラと前記加熱ローラとの間隔を予め定めた第１の値とする第１の圧接解除状態と、前記第１の圧接解除状態より多くの角度だけ回転され、前記加圧ローラ支持部材と移動して前記加圧ローラと前記加熱ローラとの間の間隔を前記第１の値より大きな第２の値とする第２の圧接解除状態に駆動される定着装置である。
【００１４】
請求項４の発明は、請求項３記載の定着装置において、前記駆動部材には操作部が配置され、前記操作部は駆動部材を第２の位置するとき定着装置本体から飛び出した位置に配置されることを特徴とする。
【００１５】
請求項５の発明は、請求項３又は４記載の定着装置において、前記駆動部材は常時第２の位置に移動する方向に付勢されている共に、前記操作部は常時は外装カバー部材に係止されて前記駆動部材は第１の位置に保持され、前記操作部は前記外装カバー部材が取り外されたとき前記駆動部材が第２の位置に移動することを特徴とする加圧解除位置への動作は、装置外装カバーと連動することを特徴とする。
【００１６】
請求項６の発明は、請求項３乃至５のいずれか記載の定着装置において、前記駆動部材の配置位置を検出する検出装置を備えることを特徴とする。
【００１７】
請求項７の発明は、請求項６記載の定着装置において、前記検出装置は、紙搬送ジャム状態を検知することを特徴とする。
【００１８】
請求項８の発明は、請求項１乃至７のいずれか記載の定着装置において、前記第１の値を得るため駆動部材の移動量は、前記第２の値を得るための移動量より大きいことを特徴とする。
【００１９】
請求項９の発明は、請求項１乃至９のいずれか記載の定着装置を備えることを特徴とする画像形成装置である。
【発明の効果】
【００２０】
本発明に係る定着装置及び画像形成装置によれば、ジャム除去時における加圧解除と、長期使用しない場合における加圧解除を１つの機構で行うことができるので、簡単な機構で両者に対応することができる、コストの上昇を抑制することができるという効果がある。
【発明を実施するための最良の形態】
【００２１】
以下本発明を実施するための最良の形態としての実施例を図面に基づいて説明する。
【実施例】
【００２２】
以下本発明の実施例に係る画像形成装置を図面に基づいて説明する。図１は実施例に係る画像形成装置を示す概略断面図である。画像形成装置１００は、イエロー（Ｙ）、マゼンタ（Ｍ）、シアン（Ｃ）、ブラック（Ｋ）の各色のトナー像を転写紙に重ねて転写するカラープリンタである。画像形成装置１００は、各色の現像ユニット１１０Ｙ，１１０Ｃ，１１０Ｍ、１１０Ｋを備える画像形成部１１０と、露光部１２０と、転写部１３０と、転写紙を格納する転写紙格納部１４０と、給紙部１５０、定着装置２００とを備える。本例では画像形成装置１００には原稿読取装置１６０を備えている。
【００２３】
現行読取装置１６０又は上位装置からの画像信号に基づいて露光部１２０からのレーザ光が現像ユニット１１０Ｙ，１１０Ｃ，１１０Ｍ、１１０Ｋの像担持体に照射され、像担持体に形成された潜像はトナーで現像され、各１１０各現像ユニット１１０Ｙ，１１０Ｃ，１１０Ｍ、１１０Ｋの像担持体には各色のトナー像が形成される。この各色のトナー増は転写部１３０の中間転写ベルトに転写される。
【００２４】
転写紙格納部１４０に格納された転写紙は、給紙部１５０によって転写部１３０に送られ、転写部１３０でトナー像を転写された後、定着装置２００で加熱ローラ２１０と加圧ローラ２２０との間を通過することにより加熱加圧されて、トナー像は転写紙に定着され、搬送ローラで排紙トレイに排出される。
【００２５】
次に定着装置２００について説明する。図２は第１の実施例に係る定着装置の基本的な構成を示すものであり、（ａ）は側面図、（ｂ）は平面図、図３はジャム除去時における定着装置の動作を示す定着装置の側面図、図４は装置不使用時における定着装置の動作を示すものであり、（ａ）は側面図、（ｂ）は平面図である。
【００２６】
定着装置２００において、加熱ローラ２１０は加熱フレーム２３０に軸支されており、加圧ローラ２２０は加圧フレーム２４０に軸支されている。加熱フレーム２３０には、凹部２３１ａと凸部２３１ｂとを備えた段部２３１が配置されている。
【００２７】
この定着装置２００では、加熱フレーム２３０と、加圧フレーム２４０との間には、圧接解除装置が配置され、圧接状態にある加熱ローラ２１０と加圧ローラ２２０とを２つの圧接解除状態に駆動する。１つの圧接解除状態は、転写紙がジャム状態になったときに加熱ローラ２１０と加圧ローラ２２０との圧接を解除し、所定間隔だけ離間させておくジャム除去のための第１の圧接解除状態である。他の圧接解除状態は画像形成装置を長時間使用しないとき加熱ローラ２１０と加圧ローラ２２０との圧接を解除するための第２の圧接解除状態である。
【００２８】
加圧フレーム２４０は、軸部２４１を中心にして揺動可能に構成されている。また、加圧フレーム２４０には、軸２５１に回転可能に軸支された駆動部材２５０が配置され、２５０の下端には、前記加熱フレーム２３０に接触する接触片２５２が配置されている。
【００２９】
ここで、接触片２５２はその基部２５３において、軸２５１に摺動可能に配置されており、接触片２５２は軸２５１に沿って移動させることにより、段部２３１の凹部２３１ａ及び凸部２３１ｂに選択的に接触させることができる。この例では、加熱ローラ２１０及び加圧ローラ２２０を離間させるにあたり、ジャム除去時においては接触片２５２を２３１ａに接触させ、装置の不使用においては接触片２５２を凸部２３１ｂに接触させるようにする。
【００３０】
即ち、記録紙のジャムが発生したときには、図３に示すように、接触片２５２を加熱フレーム２３０に接触させたまま、駆動部材２５０を回動させ第１の圧接解除状態とする。これにより、加熱ローラ２１０と加圧ローラ２２０とを寸法Ａだけ離間させることができる。なお、図３中符号２６０は画像形成装置１００の外装カバーを示している。
【００３１】
また、装置の不使用時には、図４に示すように、接触片２５２を軸２５１に沿って移動させて（矢印Ｂ）、接触片２５２を段部２３１の凸部２３１ｂに接触させる。これにより、加熱ローラ２１０と加圧ローラ２２０とを寸法Ｃだけ離間させる第２の圧接解除状態とすることができる。
【００３２】
本例では、加圧ローラ２２０を移動させる駆動部材２５０の移動量は、前記寸法Ａと寸法Ｂとが同じ場合、ジャム除去時の場合（図３）より、装置不使用時の場合（図４）の場合の方が少なくともよい。これは、ジャム除去時においては、加熱ローラ２１０及び加圧ローラ２２０は加熱されており、寸法が大きくなっているため、加熱ローラ２１０及び加圧ローラ２２０が冷却状態となっている装置不使用時より大きく移動させる必要があるためである。なお、駆動部材２５０の移動量及び寸法Ａ、寸法Ｂの値は、必要に応じて適宜変更することができる。
【００３３】
従って本例に係る定着装置２００によれば、ジャム除去時においては駆動部材２５０を回動させて第１の圧接解除状態とすることができ、長期使用しない場合においては接触片２５２をスライドさせて第２の圧接解除状態とすることができる。このため、１つの機構で両方の場合における圧接解除を行うことができるので、コストの上昇を抑制することができる
【００３４】
次に第２実施例について説明する。以下、前記第１実施例と同一部材には同一の符号を付して説明する。図５及び図６は第２実施例に係る定着装置を示す側面図、図７は図５に示した定着装置の接触片の拡大図である。本例に係る定着装置３００において、加圧フレーム２４０には、軸３１０を中心として回動可能な駆動部材３２０を配置している。駆動部材３２０の一端には、前記加熱フレーム２３０に接触する接触片３３０を配置している。本例においては、加熱フレーム２３０には段部は設けられておらず、接触片３３０は、加熱フレーム２３０の平坦な端部２３１に接触する。
【００３５】
また、本例では、接触片３３０には、図７に示すように、２個所に平坦な接触部３３１，３３２を形成して、加熱フレーム２３０が加熱フレーム２３０と安定した状態で接触し、加熱ローラ２１０及び加圧ローラ２２０の位置を安定して保持できるようにしている。
【００３６】
そして、駆動部材３２０は、画像形成装置の外装カバー２６０を配置した状態で、即ち画像形成装置１００の内部において図５中の位置Ｄに移動させ、加熱ローラ２１０と、加圧ローラ２２０との間に寸法Ｆの間隙を形成する。一方ジャム解消時には、外装カバー２６０を取り外した状態で、図６中の位置Ｅにまで移動させ。加熱ローラ２１０と、加圧ローラ２２０との間に寸法Ｇの間隙を形成する。
【００３７】
即ち、装置不使用時には、駆動部材３２０は、外装カバー２６０を取り付けた状態で、加熱ローラ２１０と加圧ローラ２２０とを離間して第２の圧接解除状態とすることができ、ジャム解消時には、外装カバー２６０を取り外して画像形成装置１００を使用できない状態として、加熱ローラ２１０と加圧ローラ２２０とを離間して第１圧接解除状態とする。
【００３８】
従って本実施例によれば、定着装置を単純な構成で安価なものとすることができる他、ジャム除去操作終了時には外装カバーを取り付けることができず、画像形成装置を作動できないものとできるので、ジャム解消時における作動を防止できると共に、画像形成装置を長期使用しない場合には本体外装カバーを閉めた状態で加熱ローラと加圧ローラとを離間させて保管することができる。
【００３９】
次に第３実施例について説明する。本例は、第２実施例の変形例である。図８及び図９は第３実施例に係る定着装置を示す側面図である。本例に係る定着装置４００において、加圧フレーム２４０と、駆動部材２５０との間には、軸３１０及び加圧フレーム２４０に配置されたピン４１１、駆動部材３２０に配置されたピン４１２に係止され、常時は接触片３３０が加熱フレーム２３０を押圧する方向に駆動部材３２０を付勢するねじりコイルスプリング４１０が配置されている。なお、駆動部材３２０には、取手部３４０が配置され、上方からの操作を容易なものとしている。
【００４０】
また、外装カバー２６０には、外装カバー２６０を取り付けた状態で、駆動部材３２０に接触して、コイルスプリング４１０の付勢力に抗して、駆動部材３２０を加熱ローラ２１０と、加圧ローラ２２０とが圧接する位置に保持する凸部４２０が配置されている。
【００４１】
本例では、上記の構成により、外装カバー２６０の取り外し動作と、加熱ローラ２１０及び加圧ローラ２２０の離間動作とを連動するものとしている。
【００４２】
次に第４実施例について説明する。本例は、第２実施例の変形例である。図１０は第４実施例に係る定着装置を示す側面図である。本例では、フォトインタラプタ５１０で駆動部材３２０に配置した遮蔽板５２０の検出することで、駆動部材３２０が加圧ローラの加圧位置にあるか、圧接解除位置にあるかを検出するものである。本例によれば、フォトインタラプタ５１０で遮蔽板５２０を検出しないとき、加熱ローラ２１０と、加圧ローラ２２０とは離間状態であると判断でき、画像形成装置１００の作動を禁止して、加熱ローラ２１０と加圧ローラ２２０の離間状態における印刷を防止することができる。
【００４３】
従って本実施例によれば、画像形成装置１００を長期使用しない状態から、使用開始状態としたとき、あるいは、ジャム解消後において、圧接解除装置を装置本体動作位置への操作するのを忘れた場合などにおけるジャム、定着不良等の不具合防止を図ることができる。
【００４４】
次に第５実施例について説明する。本例は、第４実施例の変形例である。図１１は第５実施例に係る定着装置を示すものであり、（ａ）は側面図、（ｂ）は正面図である。本例に係る定着装置５００には、フォトインタラプタ６１０が配置され、加熱ローラ２１０と加圧ローラ２２０の圧接解除状態を検知する他、ジャム状態を検知する。即ち、駆動部材３２０には、アーム部材３２１と、遮蔽板３２２が配置され、加熱ローラ２１０及び加圧ローラ２２０の圧接解除時にフォトインタラプタ６１０の光路を遮断する他、ジャム検出装置６２０には、遮蔽板６２１が設けられ、ジャム発生時に遮蔽板６２１がフォトインタラプタ６１０を遮蔽状態とする。
【００４５】
従って本実施例によれば、新たに部品を追加することなくジャム検出を行うことができ、部品点数削減し、部品配置のためのスペースを確保する必要がなくなる。
【図面の簡単な説明】
【００４６】
【図１】実施例に係る画像形成装置を示す概略断面図である。
【図２】第１の実施例に係る定着装置の基本的な構成を示すものであり、（ａ）は側面図、（ｂ）は平面図である
【図３】図２に示した定着装置のジャム除去時における定着装置の動作を示す側面図
【図４】装置不使用時における定着装置の動作を示すものであり、（ａ）は側面図、（ｂ）は平面図である
【図５】第２実施例に係る定着装置を示す側面図である。
【図６】第２実施例に係る定着装置を示す側面図である。
【図７】図５に示した定着装置の接触片の拡大図である。
【図８】第３実施例に係る定着装置を示す側面図である。
【図９】第３実施例に係る定着装置を示す側面図である。
【図１０】第４実施例に係る定着装置を示す側面図である。
【図１１】第５実施例に係る定着装置を示す側面図である。
【符号の説明】
【００４７】
１００  画像形成装置
１１０  画像形成部
１１０Ｙ，１１０Ｃ，１１０Ｍ、１１０Ｋ  現像ユニット
１２０  露光部
１３０  転写部
１４０  転写紙格納部
１５０  給紙部
１６０  原稿読取装置
２００  定着装置
２１０  加熱ローラ
２２０  加圧ローラ
２３０  加熱フレーム
２３１  段部
２３１ａ  凹部
２３１ｂ  凸部
２４０  加圧フレーム
２４１  軸部
２５０  駆動部材
２５１  軸
２５２  接触片
２５３  基部
２６０  外装カバー
３００  定着装置
３１０  軸
３２０  駆動部材
３２１  アーム部材
３２２  遮蔽板
３３０  接触片
３３１，３３２  平坦部
３４０  取手部
４００  定着装置
４１０  ねじりコイルスプリング
４１１，４１２  ピン
４２０  凸部
５００  定着装置
５１０  フォトインタラプタ
５２０  遮蔽板
６１０  フォトインタラプタ
６２０  ジャム検出装置
６２１  遮蔽板
【図１】
2009151133.tif 000003
【図２】
2009151133.tif 000004
【図３】
2009151133.tif 000005
【図４】
2009151133.tif 000006
【図５】
2009151133.tif 000007
【図６】
2009151133.tif 000008
【図７】
2009151133.tif 000009
【図８】
2009151133.tif 000010
【図９】
2009151133.tif 000011
【図１０】
2009151133.tif 000012
【図１１】
2009151133.tif 000013